(57)【要約】【課題】ボルト軸の上端に大きな力がかかっても、それに耐えさせて、ボルトをしっかりとした脱落阻止状態に固定できるボルト固定金物等を提供する。【解決手段】上端部に、取付け用ボルト５の頭部５ａを受ける受け部１０ａ，１１を備えた上材８と、下端部を下フランジ１ｂへの当接部として上材８に螺合された下材９とを備え、上材８と下材９との相対回転で上下方向に伸縮するようになされており、伸長することで上下のフランジ１ａ，１ｂ間で突っ張り、ボルト５を上フランジ１ａに固定するようになされている。上材８の受け部１０ａ，１１は、ボルト頭部５ａと回転方向において係合し、上材８が下材９に対してボルト軸５ｂに螺合させたナット７の締込み回転方向に回転するとボルト固定金物３が伸長するようになされているとよい。【選択図】      図１
2008274678.tif 000002
【特許請求の範囲】
【請求項１】
水平なベース面から上方に離間して水平プレート部が備えられ、該プレート部に設けられたボルト通孔に、ボルト頭部を下、ボルト軸を上とするように通されたボルトを、その通した状態においてプレート部に固定するボルト固定金物であって、
上端部に、前記ボルトの頭部を受けるボルト受け部を備えた上材と、
下端部をベース面への当接部とし、前記上材に螺合された下材と
を備え、
上材と下材とが相対回転をすることにより上下方向に伸縮するようになされており、伸長させることにより、ベース部とプレート部との間で突っ張り、ボルトをプレート部に固定するようになされていることを特徴とするボルト固定金物。
【請求項２】
上材のボルト受け部は、ボルト頭部を受け、ボルト固定金物をベース部とプレート部との間で突っ張らせた状態で、ボルト頭部の上面部をプレート部の下面部に押し付ける底部を備えている請求項１に記載のボルト固定金物。
【請求項３】
上材の前記ボルト受け部は、ボルト頭部と回転方向において係合するようになされており、上材が、下材に対して、前記プレート部の上方に突出するボルト軸に螺合させたナットの締込み回転方向に回転することにより、ボルト固定金物が伸長するようになされている請求項１又は２に記載のボルト固定金物。
【請求項４】
水平なベース面から上方に離間して水平プレート部が備えられ、該プレート部に設けられたボルト通孔に、ボルト頭部を下、ボルト軸を上とするように通されたボルトが、請求項１乃至３のいずれか一に記載のボルト固定金物で、プレート部に固定されていることを特徴とするボルト固定構造。
【発明の詳細な説明】
【技術分野】
【０００１】
本発明は、ボルト固定金物及びボルト固定構造に関する。
【背景技術】
【０００２】
例えば、図８（イ）（ロ）に示すように、上下のフランジとこれらフランジをつなぐウェブを備えたＨ形鋼からなる階間の胴差５１の上フランジ５１ａにボルト通孔５２を設け、このボルト通孔５２に、ボルト頭部５３ａを下、ボルト軸５３ｂを上とするようにボルト５３を通し、該ボルト５３を、図示しないクリップで上フランジ５１ａに脱落阻止状態に固定し、このボルト５３のボルト軸５３ｂを階上の外壁パネル５４のフレーム５５に設けられたボルト通孔５６に通し、屋内側において、ボルト軸５３ｂに上からナット５７を螺合し、締め込んで、階上の外壁パネル５４を胴差５１に固定することは、従来より行われている。
【特許文献１】特開２００６−１６８８０８号公報
【発明の開示】
【発明が解決しようとする課題】
【０００３】
しかしながら、上記のようなクリップでは、階上の外壁パネル５４の建方作業において、ボルト軸５３ｂが外壁パネル５４のフレーム５５のボルト通孔５６に入らずにフレーム５５がボルト軸５３ｂの上に乗ってしまった場合、その衝撃や重量によって、クリップが外れ、ボルト５３が上フランジ５１ａの下方に脱落してしまうおそれがある。
【０００４】
本発明は、上記のような問題点に鑑み、ボルト軸の上端に大きな力がかかっても、それに耐えさせて、ボルトをしっかりとした脱落阻止状態に固定することができるボルト固定金物及びボルト固定構造を提供することを課題とする。
【課題を解決するための手段】
【０００５】
上記の課題は、水平なベース面から上方に離間して水平プレート部が備えられ、該プレート部に設けられたボルト通孔に、ボルト頭部を下、ボルト軸を上とするように通されたボルトを、その通した状態においてプレート部に固定するボルト固定金物であって、
上端部に、前記ボルトの頭部を受けるボルト受け部を備えた上材と、
下端部をベース面への当接部とし、前記上材に螺合された下材と
を備え、
上材と下材とが相対回転をすることにより上下方向に伸縮するようになされており、伸長させることにより、ベース部とプレート部との間で突っ張り、ボルトをプレート部に固定するようになされていることを特徴とするボルト固定金物によって解決される（第１発明）。
【０００６】
このボルト固定金物では、ベース面と水平プレート部との間にボルト固定金物を縦向きに配置し、プレート部のボルト通孔に通したボルトの頭部を上材のボルト受け部に受けさせ、上材と下材を相対回転させて、ボルト固定金物をベース面とプレート部との間で突っ張らせることにより、ボルトを、プレート部のボルト通孔に通した状態で固定することができる。
【０００７】
そして、この固定状態において、ボルト軸の上端に大きな力がかかっても、ボルトは、ベース面とプレート部との間でボルト固定金物が突っ張っていることにより、それに耐えることができて、脱落阻止状態をしっかりと維持することができる。
【０００８】
第１発明において、上記の上材のボルト受け部は、ボルト頭部を受け、ボルト固定金物をベース部とプレート部との間で突っ張らせた状態で、ボルト頭部の上面部をプレート部の下面部に押し付ける底部を備えているとよい（第２発明）。この場合は、上材のボルト受け部の底部でボルト頭部の上面部がプレート部の下面部に押し付けられることで、ボルトをフラツキのないしっかりとした固定状態にすることができる。
【０００９】
第１，第２発明において、上材の前記ボルト受け部は、ボルト頭部と回転方向において係合するようになされており、上材が、下材に対して、前記プレート部の上方に突出するボルト軸に螺合させたナットの締込み回転方向に回転することにより、ボルト固定金物が伸長するようになされているとよい（第３発明）。
【００１０】
この場合は、プレート部へのボルト固定状態において、ボルト軸にナットを螺合させ、締め付けることによって、上材が共回りをしても、ボルト固定金物が短縮してしまうことがなく、むしろ突っ張り力を強めてしっかりとした固定状態を維持することができ、プレート部に取り付けられる部材の重量によってプレート部が下に撓むのをボルト固定金物が阻止して、プレート部を補強することができる。
【００１１】
また、上記の課題は、水平なベース面から上方に離間して水平プレート部が備えられ、該プレート部に設けられたボルト通孔に、ボルト頭部を下、ボルト軸を上とするように通されたボルトが、第１乃至第３の発明のいずれか一つボルト固定金物で、プレート部に固定されていることを特徴とするボルト固定構造によって、同様に解決される。
【発明の効果】
【００１２】
本発明は、以上のとおりのものであるから、ボルト軸の上端に大きな力がかかっても、それに耐えさせて、ボルトをしっかりとした脱落阻止状態に固定することができる。
【発明を実施するための最良の形態】
【００１３】
次に、本発明の実施最良形態を図面に基づいて説明する。図１に示す第１実施形態において、１は階間の胴差、２は階上の外壁パネル、３はボルト固定金物である。
【００１４】
胴差１は、上下のフランジ１ａ，１ｂとこれらフランジをつなぐウェブ１ｃとを備えたＨ形鋼からなり、下フランジ１ｂの上面４をベース面、上フランジ１ａを水平プレート部とし、上フランジ１ａにボルト固定金物３で固定された取付け用の六角ボルト５が、外壁パネル２のフレーム６に通され、該ボルト５に上からナット７が螺合され、締め付けられて、外壁パネル２と胴差１とが連結された構造となっている。
【００１５】
この構造において、ボルト固定金物３は、図２及び図３に示すように、上材８と下材９とを構成部品として備えている。上材８は、六角ボルト材１０の頭部１０ａの天面部に、内周六角のリング材１１が溶接などで同軸状態に取り付けられたもので、リング材１１の内周部に取付け用ボルト５の六角頭部５ａがしっくりと嵌り込むようになされて、上材８と取付け用ボルト５のボルト頭部５ａとが回転方向において係合するようになされていると共に、ボルト材１０の頭部１０ａとリング材１１とが、取付け用ボルト５のボルト頭部５ａを受ける受け部を構成している。
【００１６】
また、図４（イ）に示すように、リング材１１の高さ寸法ａは、取付け用ボルト５の頭部５ａの高さ寸法ｂより小さく設定されていて、取付け用ボルト５の頭部５ａの天面部を上材８のボルト頭部１０ａの天面部１２に当接させた状態で、取付け用ボルト５の頭部５ａがリング材１１の外方に突出するようになされて、図３（ロ）に示すように、上材８のボルト頭部１０ａの天面部１２を、取付け用ボルト５の頭部５ａの上面部を上フランジ１ａの下面部に押し付ける底部としている。
【００１７】
一方、下材９は、角筒状の柱状部１３の上端部に蓋板１４が設けられると共に、該蓋板１４の上面部中央に、上材８のボルト軸１０ｂを通すことのできる通孔１５が設けられ、蓋板１４の上面部に、上材８のボルト軸１０ｂが螺合可能なナット材１６が、通孔１５と同軸状態に配置され、ナット材１６と蓋板１４とが溶接などで接合一体化されたものからなっている。
【００１８】
本実施形態では、図２（イ）に示すように、柱状部１３が、金属プレート部の同じプレス加工品１３ａ，１３ａを、スリット孔１７に突片部１８を貫通させて屈折させるというようにして無溶接で製作されたものからなっており、また、図２（ロ）に示すように、蓋板１４と柱状部１３も、スリット孔１７に突片部１８を貫通させて屈折させるというようにして同じく無溶接で接合された構造となっている。
【００１９】
そして、上記の上材８と下材９とは、図３（イ）（ロ）に示すように、上材８のボルト軸１０ｂが、下材９のナット材１６に螺合されて、ボルト固定金物３を構成している。
【００２０】
取付け用ボルト５は、上記のボルト固定金物３を用いて、例えば次のようにして、胴差１の上フランジ１ａに固定することができる。即ち、図４（イ）（ロ）に示すように、ボルト固定金物３を短縮状態にして、上材８のリング材１１の内部に取付け用ボルト５のボルト頭部５ａを嵌め付け、これを、図４（ハ）に示すように、胴差１のウェブ１ｃを挟んで屋外側の上下のフランジ１ａ，１ｂ間に、取付け用ボルト５のボルト軸５ｂを上フランジ１ａのボルト通孔１９に下から挿入しながら、直立状態にしていき、図５（ニ）に示すように、ボルト固定金物３の下材９の下端部を下フランジ１ｂの上面部４に支承させる。
【００２１】
このとき、下材９の柱状部１３の下端部に、下フランジ１ｂの上面４に備えられている突起部２０を入り込ませることで、ボルト固定金物３の下端部を位置決め状態にすることができる。なお、本実施形態では、突起部２０は、階下の外壁パネル２１を胴差１に連結しているナットからなっている。
【００２２】
しかる後、図５（ホ）に示すように、上フランジ１ａの上面から上方に突出する取付け用ボルト５のボルト軸５ｂを回転操作することにより、ボルト固定金物３の上材８を追従回転させ、ボルト固定金物３を伸長させていき、上下のフランジ１ａ，１ｂ間で突っ張らせた状態にすれば、取付け用ボルト５が上フランジ１ａに固定される。なお、突っ張らせた状態にするのは、ボルト軸５ｂを回転しないように固定し、下材９の方形柱状部１３をスパナ等の工具で回転させることにより行うのもよい。
【００２３】
この固定状態において、ボルト固定金物３の上材８のボルト頭部１０ａの天面部１２（図２等参照）で、取付け用ボルト５のボルト頭部５ａの上面部が上フランジ１ａの下面部に押し付けられ、取付け用ボルト５はフラツキのないしっかりとした固定状態となる。
【００２４】
次いで、図６（ヘ）に示すように、階上の外壁パネル２のフレーム６に設けられたボルト通孔２２に、胴差１の上フランジ１ａの上面から突出するボルト軸５ｂを通し、図７（ト）（チ）に示すように、屋内側から、ボルト軸部５ｂにナット７を螺合して締め付ければ、階上の外壁パネル２が胴差１と連結される。
【００２５】
その場合に、ナット７の締付けによって、取付け用ボルト５のボルト軸５ｂが共回りをし、ボルト固定金物３の上材８と下材９が相対回転をしても、ボルト固定金物３の突っ張り状態が緩むことはなく、むしろ、突っ張り力を強めてしっかりとした固定状態を維持し、階上の外壁パネル２の自重によって上フランジ１ａが下に撓むのをボルト固定金物３がしっかりと阻止して、上フランジ１ａを補強することができる。
【００２６】
また、図６（ヘ）に示すように、階上の外壁パネル２のフレーム６のボルト通孔２２に、胴差１の取付け用ボルト５のボルト軸５ｂを通す過程で、階上の外壁パネル２のフレーム６が、ボルト軸５ｂの上端部に乗ってしまった場合でも、取付け用ボルト５は、上下のフランジ１ａ，１ｂ間でボルト固定金物３が突っ張っていることにより、それに耐えることができて、脱落阻止状態をしっかりと維持することができる。
【００２７】
以上に、本発明の実施形態を示したが、本発明はこれに限られるものではなく、発明思想を逸脱しない範囲で各種の変更が可能である。例えば、上記の実施形態では、ボルト固定金物３を構成する上材８、下材９として、特定構造のものを示したが、これに限られるものではなく、その他の構造や形態をしていてもよい。また、ボルト固定金物の下材を更に上材と下材で構成し、該上材と該下材とが相対回転することで伸縮するようになされていてもよい。
【００２８】
更に、上記の実施形態では、ボルト固定金物３を、Ｈ形鋼からなる胴差１の上フランジ１ａに取付け用ボルト５を固定するのに用いた場合を示したが、水平な各種ベース面から上方に離間して水平な各種プレート部が備えられ、該プレート部に設けられたボルト通孔に、ボルト頭部を下、ボルト軸を上とするように通されたボルトをプレート部に固定する各種場合に、広く用いることができるものである。
【００２９】
また、取付け用ボルトは、ネジ棒にナットを螺合させ、該ナットを頭部としたものであってもよいことはいうまでもない。
【図面の簡単な説明】
【００３０】
【図１】実施形態のボルト固定金物及びボルト固定構造を示す断面側面図である。
【図２】図（イ）及び図（ロ）はそれぞれ、ボルト固定金物を分解状態にして示す斜視図である。
【図３】図（イ）はボルト固定金物を分解状態にして示す斜視図、図（ロ）はボルト固定金物の斜視図である。
【図４】図（イ）はボルト固定金物と取付け用ボルトを分離状態にして示す側面図、図（ロ）はボルト固定金物に取付れ用ボルトをセットした状態を示す側面図、図（ハ）は、図５（ニ）（ホ）と共に、取付け用ボルトの固定方法を順次に示す断面側側面図である。
【図５】図（ニ）及び図（ホ）は、図４（ハ）と共に、取付け用ボルトの固定方法を順次に示す断面側側面図である。
【図６】図（ヘ）は、図７（ト）（チ）と共に、階上外壁パネルの取付け方法を順次に示す断面側面図である。
【図７】図（ト）及び図（チ）は、図６（ヘ）と共に、階上外壁パネルの取付け方法を順次に示す断面側面図である。
【図８】図（イ）及び図（ロ）は、背景技術に係る階上外壁パネルの取付け方法を順次に示す断面側面図である。
【符号の説明】
【００３１】
１ａ…上フランジ（プレート部）
１ｂ…下フランジ（ベース）
３…ボルト固定金物
４…ベース面
５…取付け用ボルト
５ａ…ボルト頭部
５ｂ…ボルト軸
８…上材
９…下材
１０ａ…ボルト頭部（受け部）
１１…リング材（受け部）
１２…天面部（底面）
１９…ボルト通孔
【図１】
2008274678.tif 000003
【図２】
2008274678.tif 000004
【図３】
2008274678.tif 000005
【図４】
2008274678.tif 000006
【図５】
2008274678.tif 000007
【図６】
2008274678.tif 000008
【図７】
2008274678.tif 000009
【図８】
2008274678.tif 000010